(57)【要約】【課題】  洗浄手段装置での故障に伴う、二次的被害を最小限に抑えることができる、メダル回収洗浄装置を提供する。【解決手段】  上方が開口したホッパと、常時稼動状態の第一リフトと、メダルを貯留する上方を開口した下部タンクと、下部タンクから溢れたメダルを貯める上方を開口したオーバーフロータンクと、メダルを定量排出する排出機構と、メダル通過経路が曲折するように複数のブラシローラを配置した洗浄部と、メダルに付着した水分を吸い取る乾燥部を備えた洗浄装置と、洗浄済みメダルを揚送する第二リフトと、洗浄済みメダルを貯留する上方を開口した上部タンクと、洗浄済みメダルを払出す分配路と、メダルを供給するジョッキと、から構成され、洗浄装置をメダル回収洗浄装置の下部に配置した。【選択図】図１
2007097721.tif 000002
【特許請求の範囲】
【請求項１】
複数の遊技機を並列に配置した遊技場等において、
前記遊技機の下方に設置された遊技機から溢れたメダルを回収する常時稼動状態の回収樋から回収されたメダルを受ける上方が開口したホッパと、
前記ホッパに接続されたメダルを揚送する、上下に掛け渡したベルトにメダルを載せる多数の積載部を設けた常時稼動状態の第一リフトと、
前記第一リフトにより揚送されたメダルを貯留する上方を開口した下部タンクと、
前記下部タンク下方に配置された下部タンクから溢れたメダルを貯める上方を開口したオーバーフロータンクと、
前記下部タンク下部に設けたメダルを定量排出する排出機構と、
前記排出機構に接続された、メダル通過経路が曲折するように複数のブラシローラを配置した洗浄部と、メダルに付着した水分を吸い取る乾燥部を備えた洗浄装置と、
前記洗浄装置と接続された洗浄済みメダルを揚送する上下に掛け渡したベルトにメダルを載せる多数の積載部を設けた第二リフトと、
前記第二リフトにより揚送された洗浄済みメダルを貯留する最上部に位置する上方を開口した上部タンクと、
前記上部タンク底部に配置された洗浄済みメダルを払出す分配路と、
前記分配路から排出されたメダルを供給するジョッキと、
から構成されたことを特徴とするメダル回収洗浄装置。
【発明の詳細な説明】
【技術分野】
【０００１】
本発明は遊技場等の遊技機で使用される円盤状のメダルを回収、洗浄、貯留するメダル回収洗浄装置に関する。
【背景技術】
【０００２】
メダル回収洗浄装置としては特許文献１に示すものがある。
この文献に明示されたメダル供給装置は、メダルを使用する複数の遊技機を少なくとも有する遊技機列の上方を通るように設けられたメダル補給手段および遊技機列の下方を通るように設けられたメダル回収手段を備える遊技装置に対し、その側方に配設されており、メダル回収手段にて回収されると共にメダル補給手段へ供給するためのメダルを貯留するためのメインタンク（メダル貯留手段）を備えており、上記メダル回収手段にて回収されたメダルを美化処理し、美化処理したメダルをメインタンクへ供給するメダル美化処理手段と、メダル美化処理手段にて美化処理される前のメダルをメインタンクへ迂回させる迂回手段と、を具備する。
【０００３】
【特許文献１】特開２０００−２９６２０４号
【発明の開示】
【発明が解決しようとする課題】
【０００４】
しかし、特許文献１のメダル供給装置では、遊技機より回収されたメダルの汚れを落とすために、液状の水や洗浄液などを使用する洗浄装置（メダル美化処理手段）を、メダル供給装置の上方に備えている。そのため、洗浄装置で使用する洗浄液などが拡散および、漏れを防止する構造となっている。
しかし、洗浄装置で故障などにより、洗浄液が洗浄装置外へと漏れた場合、洗浄装置の下方に配置された他の装置類が濡れて、二次的故障発生の原因となる。
【０００５】
そこで本発明は、このような従来の問題点に鑑み、メダルの汚れを落とす複数のブラシローラを配置した、洗浄装置をメダル供給装置の下部に配置することにより、洗浄液が、拡散および漏れた場合にでも、他の装置類への被害を最小限に食い止め、二次的故障発生を防止することが可能な、メダル回収洗浄装置を提供することを目的とする。
【課題を解決するための手段】
【０００６】
上記課題を解決するため、本発明に係わるメダル回収洗浄装置は、複数の遊技機を並列に配置した遊技場等において、前記遊技機の下方に設置された遊技機から溢れたメダルを回収する常時稼動状態の回収樋から回収されたメダルを受ける上方が開口したホッパと、前記ホッパに接続されたメダルを揚送する、上下に掛け渡したベルトにメダルを載せる多数の積載部を設けた常時稼動状態の第一リフトと、前記第一リフトにより揚送されたメダルを貯留する上方を開口した下部タンクと、前記下部タンク下方に配置された下部タンクから溢れたメダルを貯める上方を開口したオーバーフロータンクと、前記下部タンク下部に設けたメダルを定量排出する排出機構と、前記排出機構に接続された、メダル通過経路が曲折するように複数のブラシローラを配置した洗浄部と、メダルに付着した水分を吸い取る乾燥部を備えた洗浄装置と、前記洗浄装置と接続された洗浄済みメダルを揚送する上下に掛け渡したベルトにメダルを載せる多数の積載部を設けた第二リフトと、前記第二リフトにより揚送された洗浄済みメダルを貯留する最上部に位置する上方を開口した上部タンクと、前記上部タンク底部に配置された洗浄済みメダルを払出す分配路と、前記分配路から排出されたメダルを供給するジョッキと、から構成されたことを特徴とするものである。
【発明の効果】
【０００７】
メダル回収洗浄装置は、遊技機より回収されたメダルの汚れを落とす複数のブラシローラを配置した構造とした洗浄装置を、メダル回収洗浄装置の下部に配置することにより、洗浄装置で故障などにより洗浄液が洗浄装置外へ漏れた場合にでも、洗浄装置の下方に他の装置類を配置しないことで、洗浄液で他の装置が濡れることがなく、被害を最小限に食い止めると共に、二次的故障発生を防止することが可能である。
【発明を実施するための最良の形態】
【０００８】
以下、本発明の実施形態を添付の図面に基づいて説明する。
【実施例１】
【０００９】
以下、本発明の実施の形態について詳細に説明する。
図１および図２は、スロットゲーム遊技施設に適した実施の形態の全体構造を示す図である。
遊技機２を横方向に並べた遊技島１において、遊技機１の下方に各遊技機から溢れたメダルを回収する常時稼動状態の回収樋３が延び、島端に設けられたメダル回収洗浄装置４に接続している。
【００１０】
メダル回収洗浄装置４は下部に回収樋３からのメダルを受ける、上方を開口し底部を傾斜させ排出口を有したホッパ５を備え、回収樋３はホッパ５の上方に開口する。回収樋３を経てホッパ５で回収されたメダルは、ホッパ５の排出口に接続された常時稼動状態の第一リフト６により揚送される。該第一リフト６により揚送されたメダルは、メダル回収洗浄装置４のほぼ中央付近に配置した上方を開口し底部を傾斜させ排出口を有した下部タンク７へ貯留される。
【００１１】
前記下部タンク７に貯留されたメダルは下部タンク７の底部に設置したメダルを定量ずつ排出する排出機構８により該排出機構８の下方に接続された洗浄装置２０へ排出される。
また、前記下部タンク７下方には該下部タンク７から溢れたメダルを貯留するオーバーフロータンク９が備わる。
【００１２】
前記洗浄装置２０で洗浄、乾燥されたメダルは、第二リフト１０に受け渡され、メダル回収洗浄装置４の最上部に設置した上方を開口して底部を傾斜させ排出口を有した、上部タンク１１へ揚送されて貯留される。
【００１３】
前記上部タンク１１底部の排出口下部に分配路１２を配置し、前記上部タンク１１に貯留されている洗浄済みメダルを前記分配路１２を介し、メダル回収洗浄装置４の左右側面に設けてあるジョッキセット部１３につながっている。前期分配路１２で所定量ずつのメダルを払出して、前記ジョッキセット部１３にセットされたジョッキ１４を満たすようになっている。
【００１４】
メダルが満たされたジョッキ１４をジョッキセット部１３から取り出して、補給が必要な遊技機２またはメダル貸機２ａへ運び、投入することにより、清浄なメダルが供給されることになる。
【００１５】
なお、メダル回収洗浄装置４には、遊技機２で賞品として払出されたメダルを計数するメダル計数装置（不図示）を設置することが可能である。前記メダル計数装置（不図示）に投入されたメダルは、下部タンク７へ排出し貯留される。
【００１６】
第一リフト６及び、第二リフト１０は、例えば上下に掛け渡したベルト１０ａにメダルを積載可能な桟１０ｂを多数設け、桟１０ｂにメダルを掬って持ち上げる。  
【００１７】
排出機構８の詳細について説明する。図３は排出機構８の断面図である。
排出機構８は、例えば、下部タンク７で貯留されているメダルを受入れる流入口８ａと、メダルを排出する排出口８ｂを設けた、円筒体８ｃ内に、回動可能な状態で挿入された螺旋体８ｄと、この螺旋体８ｄの中心部分に固定された回転軸８ｅとを備え、回転駆動部８ｆにより回転される前記回転軸８ｅと一体に前記螺旋体８ｄを回転させてメダルを螺旋体８ｄにより前記円筒体８ｃ内を移送させ、洗浄装置２０の洗浄能力に合せて定量ずつ排出させる。
【００１８】
メダル回収洗浄装置４において、前記排出装置８以降のメダルの移送経路で不具合が生じた場合には、排出機構８を停止させる。この時前記下部タンク７には、常時稼動している第一リフト６から揚送されたメダルを貯留するが、下部タンク７で貯留可能なメダル枚数を超えた場合には、該下部タンク７に設けたオーバーフロー排出口７ａより溢れ出す。溢れ出したメダルは下部タンク７下方に設けた上方を開口した箱状のオーバーフロータンク９に排出され貯留される。該オーバーフロータンク９の外側底部に複数のキャスター９ａ等を設けることにより、オーバーフロータンク９内にメダルが貯留されている状態であっても、容易に移動が可能となっている。
【００１９】
つぎに分配路１２の詳細について説明する。図４は分配路１２の断面図である。
分配路１２は、上部タンク１１の底部に配置され、前記上部タンク１１内に貯留されている洗浄済みメダルを、上部タンク１１底部の排出口より受けて搬送するための水平に配置されているベルトコンベヤ１２ａであって、前記ベルトコンベヤ１２ａは、ベルトやギヤを介して駆動部１２ｂにより駆動させる。前記駆動部１２ｂを正転駆動することにより、メダルをベルトコンベヤ１２ａにて一方の端部側に搬送してジョッキセット部１３のジョッキ１４内に供給し、駆動部１２ｂを逆転駆動することにより、メダルをベルトコンベヤ１２ａにて他方の端部側に搬送してジョッキセット部１３内のジョッキ１４内に供給する構成としている。このように略水平に配置したベルトコンベヤ１２ａを正逆回転駆動することにより、左右に設置されているジョッキ内にそれぞれ自動的に供給することが出来る。
【００２０】
洗浄部２０の詳細について説明する。図５は洗浄部の斜視図、図６は断面図である。
洗浄部２０は長四角形状のケース２１内に、その長手方向に傾斜して設置されたコンベア２６を備える。洗浄コンベア２６はそのフレーム２７をケースの側壁２２ａに支持されている。なお、図５にはケース２１の手前側の側壁２２ａに支持されている。なお、図５にはケース２１の手前側の側壁２２ａを切り欠いて示している。
洗浄コンベア２６のベルト２９は、モータ７５で駆動される不図示のエンドプーリに支持されて、図５に矢印Ａで示す方向へ回転される。メダルＭは第一リフト６からベルト２９上の図５中右側の低い側に供給され、洗浄コンベヤ２６の高端部に向かって搬送される。
【００２１】
洗浄コンベア２６の高端部の下方に、洗浄ローラ３０が配置されている。
洗浄ローラ３０に続いて、洗浄コンベヤ２６に対して折り返し方向にかつ洗浄コンベヤ２６の傾斜に概略そう形で、順次移送ローラ４０（４０ａ、４０ｂ）と洗浄液吸着ローラ５０（５０ａ、５０ｂ）が洗浄コンベヤ２６の低い側へ向かって配置される。
各洗浄液吸着ローラ５０の後述するローラ組の下側のローラ５３には、それぞれ洗浄液絞りローラ６０が付設されている。
洗浄コンベヤ２６の高端部近傍で、洗浄ローラ３０の上方には、パイプ状の洗浄ノズル７０が配置され、管壁に設けられた多数の小孔７２から洗浄液を洗浄ローラ３０上に散布するようになっている。
【００２２】
洗浄液ノズル７０はケース２１の側壁２２ａ、２２ｂに支持されており、また、洗浄ローラ３０、移送ローラ４０、洗浄液吸着ローラ５０、および洗浄液絞りローラ６０もケースの側壁２２ａ、２２ｂに回転可能に支持されている。
ケース２１の底壁２３には、下流側の洗浄液吸着ローラ５０ｂの下に、第二リフト１０と連通する穴２４が開口している。
【００２３】
洗浄ローラ３０は、図７に拡大して示すように、それぞれ軸部３２から放射状に延びるブラシ３３を備える３つのブラシローラ３１ａ、３１ｂ、３１ｃから構成されている。ほぼ同じ高さに並べられた左右２つのブラシローラ３１ａ、３１ｂは、その対向点Ｆ１において回転時にそれぞれのブラシ先端が描く外周円が互いに接するように初期設定され、洗浄コンベヤ２６の高端部から落下するメダルＭを当該２つのブラシローラ３１ａ、３１ｂの間に受けるように位置設定される。上記外周円の直径はメダルＭの直径の約２倍程度である。
【００２４】
３つ目のブラシローラ３１ｃは２つのブラシローラ３１ａ、３１ｂの下側に設けられ、当該下側のブラシローラ３１ｃと右側のブラシローラ３１ｂとの対向点Ｆ２において、回転時にそれぞれのブラシ先端が描く外周円が互いに接するように初期設定されている。
一方、右側のブラシローラ３１ｂのまわりで互いに隣接している下側のブラシローラ３１ｃと左側のブラシローラ３１ｃと左側のブラシローラ３１ａとは、例えばメダルＭの厚み分など、極く近接するが接触はしないように設定されている。
右側のブラシローラ３１ｂは洗浄液吸着ローラ５０に近い側であり、後述するように、上記左右２つのブラシローラ３１ａ、３１ｂの対向点Ｆ１および下側のブラシローラ３１ｃと右側のブラシローラ３１ｂの対向点Ｆ２はメダルＭが洗浄液吸着ローラ５０側へ向けて通過する通過経路Ｔを形成する。
【００２５】
移送ローラ４０は、図８に示すように、ローラ本体４２の外周面に軸方向所定間隔でリング溝４３を備え、そのリング溝４３にゴムなどの弾性リング４４（４４ａ、４４ｂ）を嵌めこんで、弾性リング４４がローラ本体４２の外周面から突出した突条となっている。
ローラ本体４２はメダルＭの直径と同程度の直径とされ、弾性リング４４の上記所定間隔はメダルＭの直径寸法よりも小さく設定されている。さらに、一方の移送ローラ４０ａの弾性リング４４ａが軸方向において他方の移送ローラ４０ｂの弾性リング４４ｂの間に位置して互い違いになるように設定されている。
【００２６】
移送ローラ４０ａ、４０ｂ同士のローラ本体４２間の間隙は、図８に示されるように、軸方向から見たとき、両移送ローラの弾性リング４４ａ、４４ｂが重なる程度に、極く小さく設定されている。
また、ブラシローラ３１ｃとこれに隣接する移送ローラ４０ａとの間隔も、移送ローラ４０ａの弾性リング４４ａがブラシローラ３１ｃのブラシ３３に重なる程度に設定されている。
図５、図６に示すように、移送ローラ４０は３つ目のブラシローラ３１ｃに並んで洗浄コンベヤ２６の低い側へ向かって２連に設けられている。すなわち、各移送ローラ４０ａ、４０ｂは洗浄コンベヤ２６からの距離が３つ目のブラシローラ３１ｃとほぼ同じとなっている。
【００２７】
図５、図６に示すように、洗浄液吸着ローラ５０は、相互に圧接するように付勢された上下一対のローラ５２、５３からなるローラ組を２連設けてある。各ローラ５２、５３の吸着層５５は吸水性と弾性を有する材料により形成される。
各ローラ組の下側のローラ５３は、洗浄コンベヤ２６からの距離において移送ローラ４０とほぼ同じ距離（高さ）に並べられている。
洗浄液絞りローラ６０は、図９に示すように、ローラ本体６２の外周面に螺旋状の突条６４が形成され、各下側のローラ５３に圧接されている
【００２８】
各ローラは、ケースの側壁２２ｂに取り付けられたモータ７５により、側壁２２ｂの裏面側に配置された不図示の起動機構を介して洗浄コンベヤ２６とともに回転される。各ローラの回転方向は次のとおりである。
洗浄ローラ３０のほぼ同じ高さに並べられた２つのブラシローラ３１ａ、３１ｂは、互いに逆方向に回転する。すなわち、図６おいて左側のブラシローラ３１ａは時計方向に、右側のブラシローラ３１ｂは反時計方向に回転して、洗浄コンベヤ２６から落下するメダルＭを両者の間に挟んで下方へ送る。
【００２９】
下側のブラシローラ３１ｃは時計方向であり、右側のブラシローラ３１ｂと逆方向になる。これにより、２つのブラシローラ３１ａ、３１ｂにより送られてくるメダルＭは下側のブラシローラ３１ｃにより右方向へ偏向され、右側のブラシローラ３１ｂと下側のブラシローラ３１ｃの間に挟まれて、移送ローラ４０側へ送られる。
ここで、左側および下側のブラシローラ３１ａ、３１ｃの回転速度の絶対値はそれぞれ右側のブラシローラ３１ｂの回転速度よりも大きく設定されている。
【００３０】
２連の移送ローラ４０は、それぞれ図６中時計方向に回転して、洗浄ローラ３０から送り出されたメダルＭを洗浄液吸着ローラ５０へ送る。
２連の洗浄液吸着ローラ５０は、各ローラ組において、上側のローラ５２は反時計方向、下側のローラ５３は時計方向に回転し、上下のローラ５２，５３間に移送ローラ４０からのメダルＭを挟んで下流側へ送る。上下のローラ５２，５３の回転速度は同じである。
【００３１】
洗浄液絞りローラ６０は、洗浄液吸着ローラ５０の下側のローラ５３と逆の反時計方向に回転し、相互の接触面の速度がほぼ同じとなるように設定されている。
そして、洗浄コンベヤ２６および洗浄ローラ３０、移送ローラ４０、洗浄液吸着ローラ５０にわたる各ローラの回転速度は、全体としてメダルＭをほぼ一定速度で送るように設定され、送り速度の違いによって途中でメダルが詰まることがないようになっている。
【００３２】
つぎに上記洗浄部２０におけるメダル洗浄の作用について説明する。
各ローラは常時上述のように回転しており、洗浄コンベヤ２６に運ばれてその高端部から落下したメダルＭは、洗浄液ノズル７０から洗浄液が散布されている洗浄ローラ３０の２つのブラシローラ３１ａ、３１ｂの間（対向点Ｆ１）に入る。
ここで、メダルＭは２つのブラシローラ３１ａ、３１ｂの間を送られる間、左側のブラシローラ３１ａの回転速度が右側のブラシローラ３１ｂの回転速度よりも大きく、送り量が相対的に異なるために、２つのブラシローラ３１ａ、３１ｂの間でこじられるとともに、その後さらに下側のブラシローラ３１ｃに案内されて向きを変え、右側のブラシローラ３１ｂと下側のブラシローラ３１ｃの間（対向点Ｆ２）へ入る。
【００３３】
図１０に示すように、この方向転換の間、メダルＭは左側のブラシローラ３１ａと下側のブラシローラ３１ｃにより右側のブラシローラ３１ｂに押し付けられることになる。
すなわち、メダルＭの一方の面に右側のブラシローラ３１ｂのブラシ３３が強く接触し、他方の面には左側のブラシローラ３１ａのブラシと下側のブラシローラ３１ｃのブラシが強く接触する。この結果、メダルＭは洗浄液に濡れた状態で両面ともにブラシローラのブラシ３３によって充分に擦られ、確実に汚れが落とされる。
【００３４】
洗浄ローラ３０を通過したメダルＭは移送ローラ４０上に送出される。移送ローラ４０の弾性リング４４の間隔はそれぞれメダルＭの直径寸法よりも小さく、また隣り合う移送ローラ４４ａ、４４ｂの弾性リング４４ａ、４４ｂが互い違いになって軸方向から見たとき重なり合っているから、メダルＭは移送ローラ４０ａ、４０ｂ間の間隙に落ち込むことなく、弾性リング４４に乗って洗浄液吸着ローラ５０へ確実に運ばれる。この際、メダルＭは細い弾性リング４４に支持されているだけであるから、メダルＭに付着した洗浄液の一部は滴下して除去される。
【００３５】
つぎに、洗浄液吸着ローラ５０下側のローラ５３は移送ローラ４０とほぼ同じ高さに設置されているので、移送ローラ４０上を運ばれたメダルＭは、下側のローラ５３と上側のローラ５２との間に導かれる。
メダルＭに付着した洗浄液は、相互に付勢されて上下から両面に押し付けられた吸水性の吸着層５５によって吸着され、除去される。
２連の洗浄液吸着ローラ５０によって２段階に洗浄液が除去されたメダルＭは、洗浄液吸着ローラ５０を通過した後落下して、ケースの底壁２３の穴２４を通って第二リフト１０により揚送される。
【００３６】
メダルＭから洗浄液を吸着した洗浄液吸着ローラ５０は、各下側のローラ５３に圧接された洗浄液絞りローラ６０の螺旋状の突条６４がその回転に従って下側のローラ５３との圧接位置が軸方向に移動していくので、これにより、吸着していた洗浄液を絞り取られる。なお、洗浄液絞りローラ６０は洗浄液吸着ローラの上側のローラ５２に対しても設けることが好ましいが、下側ローラ５３についてだけ設けても、上下のローラ５２，５３は相互に圧接方向に付勢されているので、下側ローラ５３の洗浄液が絞り取られれば、上側のローラ５２吸着された洗浄液は、その自重も加わって、下側のローラ５３へ吸い取られ、最終的に絞り取られることになる。
【００３７】
実施形態は以上のように構成され、とくにメダルＭを洗浄液の供給下で洗浄ローラ３０により洗浄する洗浄部２０において、洗浄ローラ３０が各軸を互いに平行とした３つのブラシローラ３１ａ〜３１ｃからなり、右側のブラシローラ３１ｂと左側のブラシローラ３１ａとの対向点Ｆ１と、右側のブラシローラ３１ｂと下側のブラシローラ３１ｃとの対向点Ｆ２を順次メダルの通過経路Ｔとして、その通過経路Ｔが２つの対向点Ｆ１，Ｆ２の間で曲折しているものとしたで、とくに方向転換の間、メダルＭは通過経路Ｔ両側のブラシローラに押し付けられて各ブラシローラのブラシ３３が両面に強く接触し、充分に擦られて、確実に汚れが落とされる。
しかも、メダルＭは方向転換時の姿勢変化によってその両面に各ブラシローラのブラシ３３が押し付けられるので、ブラシ３３が相当磨耗しても通過経路Ｔの対向点Ｆ１，Ｆ２におけるブラシローラ間の間隙は厳しく管理する必要がなく、管理工程が低減するという効果を有する。
【００３８】
さらに、通過経路Ｔをなす対向点Ｆ１，Ｆ２で対向するブラシローラは互いに回転方向が逆で、回転速度の絶対値を異ならせてあるので、メダルＭはその両面のブラシローラによる送り量が相対的に異なるためにこじられて、汚れ落としの効果をいっそう高めている。
また、移送ローラ４０は、円柱の外周面に軸方向所定間隔で弾性リング４４を備えているので、弾性リング４４に乗ったメダルＭから洗浄液が滴下しやすく、洗浄液の除去が促進される。
【００３９】
洗浄ローラ３０は、メダルＭの通過経路Ｔの最初の対向点Ｆ１を形成する左右２つのブラシローラ３１ａ、３１ｂの当該対向点Ｆ１が、洗浄コンベヤ２６の高端部から落下するメダルを受ける位置に設定され、移送ローラ４０や洗浄液吸着ローラ５０も洗浄コンベヤ２６の下方に配置されて折り返し状態とされ、洗浄液ノズル７０は洗浄コンベヤ２６の高端部近傍に配置されているので、洗浄部２０の長さが短縮され、コンパクトに構成される。
【００４０】
なお、実施形態では洗浄ローラ３０を３つのブラシローラ３１ａ〜３１ｃで構成し、メダルＭの通過経路Ｔがブラシローラ間の対向点２つを含んで、当該２つの対向点Ｆ１，Ｆ２間で通過経路Ｔが曲折しているものとしたが、洗浄ローラ３０のブラシローラは３つに限定されず、さらにブラシローラ数を増して通過経路の増大した対向点間を曲折させることにより、いっそう洗浄効果を高めることができる。
また、洗浄ローラ３０ではブラシローラの対向点Ｆ１，Ｆ２においてブラシ先端が描く外周円が互いに接するように初期設定されるものとしたが、これに限定されず、各対向点において所定の間隔を持つように設定してもよい。ただし、その際の間隙はメダルの厚さより小さい範囲とするが好ましい。
さらに、洗浄液絞りローラ６０は外周面に螺旋状の突条６４を有するものとしたが、突条６４の代わりに螺旋状の溝としてもよい。
【００４１】
以上のような構成により、メダル回収洗浄装置４は洗浄装置２０での故障により洗浄液が前記洗浄装置２０外へ漏れたとしても、他の装置への被害を最小限に食い止めることができ、二次的故障発生を防ぐことが可能となる。また、上記構成の洗浄装置２０を備えることにより、メンテナンス作業の軽減も可能となる。
【産業上の利用可能性】
【００４２】
本発明のメダル回収洗浄装置は、メダルを洗浄する洗浄液などの漏れによる、新たな故障の発生を最小限に食い止めることができ、洗浄部のメンテナンス作業が軽減されるメダル回収洗浄装置としての利用が可能である。
【図面の簡単な説明】
【００４３】
【図１】本発明に係わるメダル回収洗浄装を示す斜視図である。
【図２】本発明に係わるメダル回収洗浄装を示す斜視図である。
【図３】本発明に係わる排出機構を示す断面図である。
【図４】本発明に係わる分配路を示す断面図である。
【図５】本発明に係わる洗浄部の構成を示す斜視図である。
【図６】本発明に係わる洗浄部の構成を示す断面図である。
【図７】本発明に係わる洗浄ローラの構成を示す拡大断面図である。
【図８】本発明に係わる移送ローラの構成を示す拡大平面図である。
【図９】本発明に係わる洗浄液絞りローラの構成を示す拡大平面図である。
【図１０】本発明に係わる洗浄ローラにおける洗浄作用を示す説明図である。
【符号の説明】
【００４４】
１  遊技島
２  遊技機
２ａ  メダル貸機
３  回収樋
４  メダル回収洗浄装置
５  ホッパ
６  第一リフト
７  下部タンク
７ａ  オーバーフロー排出口
８  排出機構
８ａ  流入口
８ｂ  排出口
８ｃ  円筒体
８ｄ  螺旋体
８ｅ  回転軸
８ｆ  回転駆動部
９  オーバーフロータンク
９ａ  キャスター
１０  第二リフト
１０ａ  ベルト
１０ｂ  桟
１１  上部タンク
１２  分配路
１２ａ  ベルトコンベヤ
１２ｂ  駆動部
１３  ジョッキセット部
１４  ジョッキ
２０  洗浄部
２１  ケース
２２ａ、２２ｂ  側壁
２３  底壁
２４  穴
２６  洗浄コンベヤ  
２７  フレーム
２９  ベルト
３０  洗浄ローラ
３１ａ、３１ｂ、３１ｃ  ブラシローラ
３２  軸部
３３  ブラシ
４０、４０ａ、４０ｂ  移送ローラ
４２  ローラ本体
４３  リング溝
４４ａ、４４ｂ  弾性リング
５０ａ、５０ｂ  洗浄液吸着ローラ  
５２、５３  ローラ
５５  吸着層
６０  洗浄液絞りローラ
６２  ローラ本体
６４  突条
７０  洗浄液ノズル
７２  小孔
７５  モータ
Ｆ１，Ｆ２  対向点
Ｍ  メダル
Ｔ  通過経路
【図１】
2007097721.tif 000003
【図２】
2007097721.tif 000004
【図３】
2007097721.tif 000005
【図４】
2007097721.tif 000006
【図５】
2007097721.tif 000007
【図６】
2007097721.tif 000008
【図７】
2007097721.tif 000009
【図８】
2007097721.tif 000010
【図９】
2007097721.tif 000011
【図１０】
2007097721.tif 000012